(57)【要約】      （修正有）【課題】第１および第２の無線通信システムと通信できるアイドル移動体ユニットを作動させる方法を提供する。【解決手段】アイドル移動体ユニットが第２の無線通信システムに関連付けられた第１のトラッキング・エリアから第２の無線通信システムに関連付けられた第２のトラッキング・エリアに移行したことに応じてロケーション更新メッセージを提供するステップを含む。第１および第２の無線通信システムは、ロケーション更新メッセージの後、アイドル移動体ユニットをページングすることができる。【選択図】図１
2014096846.tif 000002
【特許請求の範囲】
【請求項１】
第１および第２の無線通信システムと通信することができるアイドル移動体ユニットを動作させる方法であって、
前記アイドル移動体ユニットが前記第２の無線通信システムに関連付けられた第１のトラッキング・エリアから前記第２の無線通信システムに関連付けられた第２のトラッキング・エリアに移行したことに応じてロケーション更新メッセージを提供するステップを含み、前記第１および前記第２の無線通信システムは、前記ロケーション更新メッセージを受け取った後、前記アイドル移動体ユニットをページングすることができる方法。
【請求項２】
前記ロケーション更新メッセージを提供するステップが、前記アイドル移動体ユニットが前記第２の無線通信システムに関連付けられた前記第２のトラッキング・エリア内にキャンプオンしたことに応じて前記第２の無線通信システムを介して前記ロケーション更新メッセージを提供するステップを含む、請求項１に記載の方法。
【請求項３】
前記アイドル移動体ユニットが、前記第１の無線通信システムに関連付けられた第１のトラッキング・エリアであって、前記第２の無線通信システムに関連付けられた前記第１および前記第２のトラッキング・エリアの一部分とオーバーラップするトラッキング・エリア内にあり、前記ロケーション更新メッセージを提供するステップが、前記第１の無線通信システムに関連付けられた前記第１のトラッキング・エリアおよび前記第２の無線通信システムに関連付けられた前記第２のトラッキング・エリアのうちの少なくとも１つを示す情報を提供するステップを含む、請求項２に記載の方法。
【請求項４】
前記第１および前記第２の無線通信システムのうちの少なくとも１つとアクティブな通信リンクを確立するための要求を提供するステップを含む、請求項３に記載の方法。
【請求項５】
前記アクティブな通信リンクを確立するための前記要求を提供するステップが、前記第１の無線通信システムに関連付けられた前記第１のトラッキング・エリアおよび前記第２の無線通信システムに関連付けられた前記第２のトラッキング・エリアのうちの少なくとも１つを介して前記第１および前記第２の無線通信システムのうちの少なくとも１つからの少なくとも１つのページング・メッセージを受信したことに応じて前記アクティブな通信リンクを確立するための前記要求を提供するステップを含む、請求項４に記載の方法。
【請求項６】
前記第１および前記第２の無線通信システムに保管されているコンテキストに基づいて前記第１および前記第２の無線通信システムのうちの少なくとも１つとアクティブな通信リンクを確立するステップを含む、請求項４に記載の方法。
【請求項７】
前記ロケーション更新メッセージを提供するステップが、前記アイドル移動体ユニットが前記第２の無線通信システムに関連付けられた前記第１のトラッキング・エリアから前記第２の無線通信システムに関連付けられた前記第２のトラッキング・エリアへの移行を検出したことに応じて前記第１の無線通信システムを介して前記ロケーション更新メッセージを提供するステップを含む、請求項１に記載の方法。
【請求項８】
前記移動体ユニットが、前記第１の無線通信システムに関連付けられた第１のトラッキング・エリアであって、前記第２の無線通信システムに関連付けられた前記第１および前記第２のトラッキング・エリアの一部分とオーバーラップするトラッキング・エリア内にあり、前記ロケーション更新メッセージを提供するステップが、前記アイドル移動体ユニットが前記第１の無線通信システムに関連付けられた前記第１のトラッキング・エリアから前記第２の無線通信システムに関連付けられた前記第２のトラッキング・エリアへの移行を検出したことに応じて前記第１の無線通信システムに関連付けられた前記第１のトラッキング・エリアおよび前記第２の無線通信システムに関連付けられた前記第２のトラッキング・エリアを示す情報を提供するステップを含む、請求項７に記載の方法。
【請求項９】
前記第１の無線通信システムに関連付けられた前記第１のトラッキング・エリアから前記第１の無線通信システムに関連付けられた第２のトラッキング・エリアへの移行を検出したことに応じて追加ロケーション更新メッセージを提供するステップを含み、前記ロケーション更新メッセージが前記第１の無線通信システムを介して提供され、前記第１の無線通信システムに関連付けられた前記第２のトラッキング・エリアおよび前記第２の無線通信システムに関連付けられた前記第２のトラッキング・エリアを示す情報を含む、請求項８に記載の方法。
【請求項１０】
前記第１および前記第２の無線通信システムのうちの少なくとも１つとアクティブな通信リンクを確立するための要求を提供するステップを含む、請求項９に記載の方法。
【請求項１１】
前記アクティブな通信リンクを確立するための前記要求を提供するステップが、前記最も新しく提供されたロケーション更新メッセージに示された前記トラッキング・エリアのうちの少なくとも１つを介して前記第１および前記第２の無線通信システムのうちの少なくとも１つからの少なくとも１つのページング・メッセージを受信したことに応じて前記アクティブな通信リンクを確立するための前記要求を提供するステップを含む、請求項１０に記載の方法。
【請求項１２】
前記要求を提供するステップが、前記第１の無線通信システムとアクティブな通信リンクを確立するための前記要求を提供するステップと、前記第１の無線通信システムに保管されているコンテキストに基づいて前記第１の無線通信システムとアクティブな通信リンクを確立するステップとを含む、請求項１０に記載の方法。
【請求項１３】
前記要求を提供するステップが、前記第２の無線通信システムとアクティブな通信リンクを確立するための要求を提供するステップと、前記要求を提供したことに応じて前記第１の無線通信システムから前記第２の無線通信システムにハンドオーバするステップとを含む、請求項１０に記載の方法。
【請求項１４】
前記移動体ユニットがアイドル・モードになったことに応じて前記第１および前記第２の無線通信システムにロケーション更新メッセージを提供するステップを含む、請求項１に記載の方法。
【請求項１５】
第１および第２の無線通信システムと通信することができるアイドル移動体ユニットをページングする方法であって、
前記第１の無線通信システムに関連付けられた第１のトラッキング・エリアおよび前記第２の無線通信システムに関連付けられた第１のトラッキング・エリアを介してページング・メッセージを提供するステップを含み、前記トラッキング・エリアが、前記アイドル移動体ユニットが前記第２の無線通信システムに関連付けられた前記第１のトラッキング・エリアに移行したことに応じて前記アイドル移動体ユニットによって提供される少なくとも１つのロケーション更新メッセージに示されている方法。
【請求項１６】
前記第１または前記第２の無線通信システムとアクティブな通信リンクを確立するための要求を受信するステップを含み、前記要求が、前記ページング・メッセージを提供したことに応じて前記アイドル移動体ユニットから受信される、請求項１５に記載の方法。
【請求項１７】
前記要求を受信するステップが、前記第１の無線通信システムまたは前記第２の無線通信システムを介して前記要求を受信するステップを含む、請求項１６に記載の方法。
【請求項１８】
前記移動体ユニットとの前記アクティブな通信リンクを、前記アクティブな通信リンクを確立するための前記要求を通知した無線通信システムを用い、この無線通信システムに保管されている移動体ユニット・コンテキストを用いて確立するステップと、
他方の無線通信システムに保管されている移動体ユニット・コンテキストを除去するステップと
を含む、請求項１７に記載の方法。
【請求項１９】
前記移動体ユニットが前記第１の無線通信システムにキャンプオンし、前記要求を受信するステップが、前記第１の無線通信システムを介して前記要求を受信するステップを含む、請求項１６に記載の方法。
【請求項２０】
前記第１の無線通信システムを介して前記移動体ユニットと前記アクティブな通信リンクを確立するステップを含む、請求項１９に記載の方法。
【請求項２１】
前記移動体ユニットが前記第１の無線通信システムにキャンプオンし、前記要求を受信するステップが、前記第２の無線通信システムを介して前記要求を受信するステップを含む、請求項１６に記載の方法。
【請求項２２】
前記要求を受信したことに応じて前記アイドル移動体ユニットを前記第２の無線通信システムにハンドオフするステップと、前記第２の無線通信システムを介して前記移動体ユニットと前記アクティブな通信リンクを確立するステップと
を含む、請求項２１に記載の方法。
【発明の詳細な説明】
【技術分野】
【０００１】
本発明は概して通信システムに関し、より詳細には無線通信システムに関する。
【背景技術】
【０００２】
無線通信システムは、一般的には、１つまたは複数の基地局またはアクセス・ポイントを含み、それらは移動体ネットワークの一部であって、各基地局またはアクセス・ポイントに関連付けられた地理的エリア（セルまたはセクタなど）内の移動体ユニットとの無線接続を行うためのものである。移動体ユニットと基地局との間で通信を開始するには、移動体ユニットおよび基地局がセッションを確立する必要がある。このためには、移動体ユニットがネットワークに接続し、それによって、ネットワーク内に、種々のセッション・パラメータの値を示す情報を含む「ＵＥコンテキスト」を作成する。ＵＥコンテキスト情報は、移動体ユニットがセル間を移動しているとき、例えば、ハンドオーバ・アルゴリズムの一部として、１つの基地局（または他のネットワーク・ノード）から別の基地局（またはネットワーク・ノード）へ転送できる。移動体ユニットと基地局との間にＵＥコンテキストが確立されると、その移動体ユニットおよび基地局は無線通信リンク、すなわちエア・インターフェースを形成することができ、その無線通信リンク、すなわちエア・インターフェース用いて、セッション・パラメータに基づいた変調無線周波数信号を送信できるようになる。エア・インターフェースには、基地局から移動体ユニットへ情報を送信するためのダウンリンク（または順方向リンク）チャネルおよび移動体ユニットから基地局へ情報を送信するためのアップリンクまたは（逆方向リンク）チャネルがある。アップリンク・チャネルおよびダウンリンク・チャネルは、一般的には、データ・チャネル、ランダム・アクセス・チャネル、ブロードキャスト・チャネル、ページング・チャネル、制御チャネルなどに分割される。
【０００３】
通信セッションおよび／または無線通信リンクの確立は、無線通信の規格および／またはプロトコルに従って行われる。例えば、第３世代パートナーシップ・プロジェクト（３ＧＰＰ、３ＧＰＰ２）のメンバーが規格および／またはプロトコルを制定して同意し、それらの規格および／またはプロトコルが、サービス・プロバイダによって無線通信システムを実施するために採用できるようになる。同意された規格および／またはプロトコルを採用すると、サービス・プロバイダは、無線通信サービスを加入者に提供する際に協力することができる。現行およびレガシ無線通信システムの例として、第２および／または第３世代（２Ｇおよび３Ｇ）の３ＧＰＰ規格および／またはプロトコルに従って動作する汎用パケット無線ソース・システム（ＧＰＲＳ）システムがある。３Ｇシステムは、ユニバーサル移動体通信システム（ＵＭＴＳ）と称されることもある。Ｌｏｎｇ  Ｔｅｒｍ  Ｅｖｏｌｕｔｉｏｎ／Ｓｙｓｔｅｍ  Ａｒｃｈｉｔｅｃｔｕｒｅ  Ｅｖｏｌｕｔｉｏｎ（ＬＴＥ／ＳＡＥ）規格および／またはプロトコルなどの新規の規格および／またはプロトコルが、現在、３ＧＰＰによって検討中である。
【０００４】
移動体ユニットは、１つまたは複数の基地局との間にアクティブまたはアイドル無線通信リンクを有することができる。アクティブな通信リンクは、移動体ユニットが基地局との間で情報をアクティブに送信およびまたは／受信しているときに使用される。アクティブな移動体ユニットが移動するとき、その移動体ユニットは、ソース基地局からターゲット基地局へハンドオフされてよい。アクティブな移動体ユニットは、ソース基地局および／またはターゲット基地局の環境条件および／または送信パラメータが変更されたためにソース基地局との無線通信リンクの品質がターゲット基地局の無線通信リンクの品質より下がった場合にも、ソース基地局からターゲット基地局へハンドオフされてよい。アイドル・モードでは、移動体ユニットは、定期的に好ましい基地局を再選択して、対応するブロードキャスト・ページング間隔と同期することができる。しかし、アイドル移動体ユニットは、新しい基地局に、その基地局が好ましい基地局として選択されたことを通知する必要はない。したがって、移動体ユニットに関連付けられた状態は、順方向リンクおよび／または逆方向リンクのトラフィックが再開されたときに移動体ユニットがアイドル・モードを終了するまで、移動できない。
【０００５】
アイドル移動体ユニットに対して情報が使用可能になると、無線通信システムは、情報が使用可能であることを示し、その移動体ユニットが情報を受信するためにアクティブ・モードになることを要求するページング・メッセージを送信する。しかし、上述のように、アイドル移動体ユニットは、基地局が好ましい基地局として選択されたことをその基地局に通知する必要はない。その結果、無線通信システムはアイドル移動体ユニットの正確なロケーションを知ることができないことがあり、そのため、多数のセルまたはセクタに対してページング・メッセージを提供することが必要になることがある。従来の無線通信システムは、ロケーション更新メッセージの送信に関するオーバーヘッドを減らしたい願望と、複数の基地局よりサービスを受ける複数のセルまたはセクタを含むトラッキング・エリアを定義することにより、ページング・メッセージの送信に関するオーバーヘッドを減らしたい願望とのせめぎ合いの中でバランスを取ろうとしている。その場合には、アイドル移動体ユニットは、２つのトラッキング・エリア間の境界を越えたとき、ロケーション更新メッセージを送信しなければならない可能性がある。このようにして、無線通信システムは、アイドル移動体ユニットが、最新のロケーション更新メッセージで示されたトラッキング・エリア内にある可能性が最も高いことを理解し、したがって、そのトラッキング・エリア内の基地局を介してページング・メッセージを提供することにより、処理されるページングを開始することができる。
【０００６】
実世界では、移動体ユニットとの無線接続は、複数の無線通信システムを使用して行われ、それら無線通信システムの一部は最新の規格および／またはプロトコルに従って動作する可能性があり、さらに一部は１つまたは複数のレガシ規格および／またはプロトコルに従って動作する可能性がある。例えば、新規ＬＴＥ／ＳＡＥ無線通信システムは、最初は、そのシステムの上に既存のレガシ２Ｇ／３Ｇ／ＵＭＴＳ無線通信システムをオーバーレイすることにより、デプロイされることがある。新規無線通信システムおよびレガシ無線通信システムは、異なる規格および／またはプロトコルに従って動作する異なる無線インターフェース技術を利用する。レガシ２Ｇ／３Ｇ／ＵＭＴＳ無線通信システムは、少なくとも最初は、新規ＬＴＥ／ＳＡＥ無線通信システムより成熟していると期待され、したがって、レガシ無線通信システムは、少なくとも最初は、より良い、より信頼性の高い対象地域を提供すると期待される。その結果、移動体ユニットは、新規無線通信システムからの対象地域が失われたか、または利用できなくなった場合、レガシ無線通信システムを利用するものと考えられる。
【０００７】
新規無線通信システムとレガシ無線通信システム間で移行が行われると、比較的大量の信号トラフィックが生成されることがあるが、その原因の少なくとも一端は、新規無線通信システムとレガシ無線通信システムの両方がトラッキング・エリアのセットをオーバーラップして定義することにあることが考えられる。その結果、移動体ユニットは、新規無線通信システムおよび／またはレガシ無線通信システムに関連付けられたトラッキング・エリア間の境界を越えるたびに２つのロケーション更新メッセージを提供する必要があることがある。例えば、移動体ユニットが、新規無線通信システムに関連付けられたトラッキング・エリアからレガシ無線通信システムに関連付けられたトラッキング・エリアに移行すると、その移動体ユニットは、新規無線通信システムとレガシ無線通信システムの両方にロケーション更新メッセージを提供する可能性がある。この移行は、移動体ユニットの移動、例えば、動き回っている移動体ユニットが新規無線通信システムとレガシ無線通信システムの対象地域間の境界を越えた結果として、またはシステム条件または環境条件の変更、例えば、新規無線通信システムおよび／またはレガシ無線通信システムによって提供されているチャネル品質が変化して、新規無線通信システムとレガシ無線通信システム間で移行がトリガされた結果として起きる可能性がある。
【０００８】
ロケーション更新メッセージによって生成された信号トラフィックの量は、最初に新規無線通信システムがデプロイされたときにも特に多くなることがあり、それは、新規無線通信システムによってカバーされる対象地域がまだら状になっていて、新規無線通信システムとレガシ無線通信システム間で比較的多数の移行が行われた結果として起きる可能性がある。新規無線通信システムおよび／またはレガシ無線通信システムによって削除される呼の数は、信号トラフィックが増大すると、増加する可能性がある。したがって、最初に新規無線通信システムがデプロイされると、呼の削除数は不本意に増える可能性がある。さらに、異なる無線通信システムによって維持されていたトラッキング・エリア間の移行によって送信されるロケーション更新メッセージによってトラッキング・エリア更新がトリガされると、結果として、ソース無線通信システムは、その移動体ユニットに関連付けられた情報（コンテキストと呼ばれることもある）を解放する。このコンテキスト情報は、その移動体ユニットが元の無線通信システムに移行し直すと再作成される必要があり、そのことは、移動体ユニットが異なる無線通信システム間で頻繁にフリップフロップすると、過剰なリソース消費の原因になる可能性がある。
【発明の概要】
【発明が解決しようとする課題】
【０００９】
本発明は、上述の問題うちの１つまたは複数の影響に対処することに関する。
以下で、本発明のいくつかの態様の基本的な理解を促すために、本発明の簡単な概要を説明する。この概要は、本発明の包括的な概説ではない。また、本発明のキーまたは重要な要素を特定することも、本発明の範囲を概説することも意図されていない。その唯一の目的は、後述される、より詳細な説明の序文として、簡略な形で多少の概念を提示することである。
【課題を解決するための手段】
【００１０】
本発明の一実施形態では、第１および第２の無線通信システムと通信できるアイドル移動体ユニットを作動させる方法が提供されている。この方法の一実施形態は、アイドル移動体ユニットが第２の無線通信システムに関連付けられた第１のトラッキング・エリアから第２の無線通信システムに関連付けられた第２のトラッキング・エリアに移行したことに応じてロケーション更新メッセージを提供することを含む。第１および第２の無線通信システムは、ロケーション更新メッセージの後にアイドル移動体ユニットをページングすることができる。
【００１１】
本発明の別の実施形態では、第１および第２の無線通信システムと通信できるアイドル移動体ユニットをページングする方法が提供されている。この方法は、第１の無線通信システムに関連付けられた第１のトラッキング・エリアおよび第２の無線通信システムに関連付けられた第１のトラッキング・エリアを介してページング・メッセージを提供することを含んでよい。これらのトラッキング・エリアは、アイドル移動体ユニットが第２の無線通信システムに関連付けられた第１のトラッキング・エリアに移行したことに応じてアイドル移動体ユニットによって提供される少なくとも１つのロケーション更新メッセージに示される。
【００１２】
本発明は、添付の図面と関連付けて記載される以下の説明を参照することにより理解できるであろう。この説明の中では、同じ参照番号は同じ要素を識別する。
【００１３】
本発明は、種々の修正および代替形態が可能であるが、本発明の具体的な実施形態を図面に例示の目的で示し、本明細書において詳細に説明する。ただし、本明細書における具体的な実施形態の説明は、本発明を、開示された特定の形に限定するようには意図されておらず、それどころか、意図するところは、添付の特許請求の範囲で定義された本発明の範囲内に入るすべての修正、均等物、および代替形態を包含することであることを理解されたい。
【図面の簡単な説明】
【００１４】
【図１】本発明による通信システムの例示的な一実施形態を概念的に示した図である。
【図２Ａ】本発明による、ロケーション更新メッセージを提供する方法の第１の例示的な実施形態を概念的に示した図である。
【図２Ｂ】本発明による、アイドル移動体ユニットをページングする方法の第１の例示的な実施形態を概念的に示した図である。
【図３Ａ】本発明による、ロケーション更新メッセージを提供する方法の第２の例示的な実施形態を概念的に示した図である。
【図３Ｂ】本発明による、アイドル移動体ユニットをページングする方法の第２の例示的な実施形態を概念的に示した図である。
【発明を実施するための形態】
【００１５】
本発明の例示的な実施形態を以下で説明する。明瞭にするために、本明細書では、実際の実施態様のすべての特徴は説明しない。当然ながら、そのような実際の実施形態の開発において、実施態様ごとに異なるシステム関連および業務関連の制約を順守するなど、開発者の特定の目標を達成するために多くの実施態様固有の決定を行うべきであることが理解されよう。さらに、そのような開発の努力は複雑で時間を消費する可能性があるが、それにもかかわらず、本開示の利益を得る当業者にはルーチン作業になる可能性があることを理解されたい。
【００１６】
本発明の部分および対応する詳細な説明は、ソフトウェア、またはアルゴリズムおよびコンピュータ・メモリ内のデータ・ビットに対する動作の記号表現に関して示される。このような説明および表現は、当業者がその仕事の実体を他の当業者に効果的に伝える手段として使用されるものである。アルゴリズムとは、この用語が本明細書で使用された場合、一般に使用された場合と同様に、所望の結果に導く、自己矛盾のない一連のステップであると考えられる。これらのステップは、物理量の物理的操作を必要とするものである。通常、ただし必須ではないが、これらの量は、記憶、転送、組合せ、比較、およびそうでなければ操作が可能な光学的、電気的、または磁気的信号の形をとる。主として一般的な習慣が理由で、これらの信号をビット、値、要素、記号、文字、用語、数字などと呼ぶと便利であることが時々証明されている。
【００１７】
ただし、これらの用語および同様の用語はすべて、適切な物理量に関連付けられており、これらの量に適用される便利なラベルにすぎないことを記憶にとどめておくべきである。他に特に断りがない限り、あるいは説明から明らかなように、「処理」、「コンピューティング」、「計算」、「判定」、「表示」などの用語は、コンピュータ・システムのレジスタおよびメモリ内の物理的、電子的量として表されるデータを操作し、コンピュータ・システムのメモリまたはレジスタまたは他のそのような情報記憶、送信、または表示装置内で同様に物理量として表される他のデータに変換する、コンピュータ・システムまたは同様の電子計算装置のアクションおよびプロセスを指す。
【００１８】
また、ソフトウェアが実現する本発明の態様は、普通は、何らかの形のプログラム記憶媒体上に符号化されるか、またはいずれかのタイプの送信媒体を介して実現されることにも留意されたい。プログラム記憶媒体は磁気式（例えば、フロッピ・ディスクまたはハード・ドライブ）または光学式（例えば、コンパクト・ディスク読取専用メモリ、すなわち「ＣＤ  ＲＯＭ」）であってよいし、読取専用またはランダム・アクセスであってよい。同様に、送信媒体はより対線、同軸ケーブル、光ファイバ、または当業者に知られている他の適切な送信媒体であってよい。本発明は、所与の実装のこれらの態様によって限定されることはない。
【００１９】
本発明を、添付の図を参照しながら説明する。種々の構造、システム、およびデバイスを、説明を目的としてのみ、さらに当業者に周知の詳細で本発明を曖昧にしないように、図面に概略的に示す。それでも、添付の図面は、本発明の例示的な例を挙げて記載し説明するために含まれている。本明細書で使用される語および句は、当業者による、その語および句の解釈と矛盾しない意味を持つものと理解および解釈されたい。本明細書の用語または句の一貫した用法によって、その用語または句の特別な定義、すなわち、当業者によって解釈される通常の、習慣的な意味と異なる定義を意味することは意図されていない。用語または句が特別な意味、すなわち、当業者による解釈以外の意味を持つことが意図されている限り、そのような特別な定義が、明細書の中で、その用語または句の特別な定義を直接的に、明確に提供する定義らしい方法で明示的に記載される。
【００２０】
図１は、通信システム１００の例示的な一実施形態を概念的に示したものである。示された実施形態において、通信システム１００は、無線接続を行うための２つの無線通信システム１０５（１〜２）を含んでいる。識別用指標（１〜２）は、個々の無線通信システム１０５（１〜２）および／またはそのサブセットを示すために使用されることがある。しかし、識別用指標（１〜２）は、無線通信システム群１０５を総称する場合は、省略してよい。この規則は、図面で、数字および１つまたは複数の識別用指標によって示された他の構成要素にも適用できる。本開示の利益を得る当業者は、無線通信システム１０５の選択された数は、例示であって、本発明は、２つの無線通信システム１０５を含むだけのシステム１００に限定されないことを理解されたい。代替の実施形態では、通信システム１００は、無線通信システム１０５をいくつ含んでもよい。
【００２１】
無線通信システム１０５は、異なる無線インターフェース技術に従って動作する。本明細書で使用された場合、用語「無線インターフェース技術」は、無線接続を行うために無線通信システム１０５によって実施される規格および／またはプロトコル、ならびにその規格および／またはプロトコルを実施し、無線接続を行うために無線通信システム１０５によって使用されるハードウェア、ファームウェア、および／またはソフトウェアを指すものと理解される。例示された実施形態では、無線通信システム１０５（１）は、レガシ無線インターフェース技術に従って動作する。本明細書で使用された場合、用語「レガシ」は、最新の無線インターフェース技術より前にリリースされ、および／またはデプロイされた規格および／またはプロトコルに従って動作する無線インターフェース技術を指す。例えば、無線通信システム１０５（１）は、第３世代パートナーシップ・プロジェクト（３ＧＰＰ）によって定義された第２世代（２Ｇ）汎用パケット無線ソース（ＧＰＲＳ）の規格および／またはプロトコルを実施してよい。別の例として、無線通信システム１０５（２）は、第３世代パートナーシップ・プロジェクト（３ＧＰＰ）によって定義された第３世代（３Ｇ）ＧＰＲＳの規格および／またはプロトコルを実施してよい。３Ｇ規格および／またはプロトコルは、ユニバーサル移動体通信システム（ＵＭＴＳ）の規格および／またはプロトコルと称されることもある。
【００２２】
無線通信システム１０５（２）は、無線通信システム１０５（１）によって実施される無線インターフェース技術とは異なる無線インターフェース技術に従って動作する。例示された実施形態では、無線通信システム１０５（２）は、最新（新規）無線インターフェース技術を実施する。例えば、無線通信システム１０５（２）は、３ＧＰＰによって検討中のＬｏｎｇ  Ｔｅｒｍ  Ｅｖｏｌｕｔｉｏｎ／Ｓｙｓｔｅｍ  Ａｒｃｈｉｔｅｃｔｕｒｅ  Ｅｖｏｌｕｔｉｏｎ（ＬＴＥ／ＳＡＥ）規格および／またはプロトコルを実施してよい。無線通信システム１０５（２）によって実施される新規無線インターフェース技術は、無線通信システム１０５（１）によって実施されるレガシ無線インターフェース技術によってサポートされない、または認識されない可能性のある規格および／またはプロトコルに従って動作する。同様に、無線通信システム１０５（１）によって実施されるレガシ無線インターフェース技術は、無線通信システム１０５（２）によって実施される新規インターフェース技術によってサポートされない、または認識されない可能性のある規格および／またはプロトコルに従って動作する。
【００２３】
無線通信システム１０５は、１つまたは複数の基地局１１０を介して無線接続を行う。しかし、本発明は、基地局群１１０を介して無線接続を行うことに限定されない。代替実施形態では、無線通信システム１０５は、アクセス・ポイント、アクセス・ネットワーク、基地局ルータなど、他のエンティティを介して無線接続を行ってもよい。それぞれの基地局１１０は、地理的エリアまたはセル１１５との無線接続を行う。図１のセル群１１５は、ほぼ円形で、少なくとも部分的にオーバーラップするように描かれているが、実際のセル群１１５の地形は不規則であり（時間差もある）、セル群１１５の形状は、環境上の条件、および基地局群１１０によって採用される送信および／または受信パラメータに応じて異なってよい。一実施形態において、基地局群１１０は、基地局群１１０が関連のセル群１１５内の１つまたは複数のセクタに独立して、かつ同時に無線接続を行えるようにする指向性アンテナを備えてよい。
【００２４】
基地局群１１０および関連のセル群１１５を使用して、１つまたは複数のトラッキング・エリアを定義することができる。明瞭にするため、および本発明を曖昧にしないように、図１に示された各セル１１５はトラッキング・エリア１１５であると考える。しかし、本開示の利益を得る当業者は、本発明はこの特定の実施形態に限定されないことを理解されたい。代替実施形態では、各トラッキング・エリア１１５は、２つ以上の基地局１１０に関連付けられた２つ以上のセルを含んでよい。例えば、典型的な無線通信システム１００は、いくつかの基地局１１０のサービスを受けるいくつかのセルを含むトラッキング・エリア１１５との無線接続を行う。したがって、図１に示された基地局群１１０およびセル群／トラッキング・エリア群１１５は、２つ以上の基地局、および各トラッキング・エリア１１５を形成することができる関連のセルを表してもよい。
【００２５】
例示された実施形態では、移動体ユニット１２０が無線通信システム１０５（１）とのセッションを確立している。例えば、移動体ユニット１２０は、前に、基地局１１０（２）および／または無線通信システム１０５（１）内の別のエンティティ、例えば、無線ネットワーク・コントローラなど（図示せず）とのセッションを開始していたかもしれない。移動体ユニット１２０および無線通信システム１０５（１）は、セッションを確立するために使用できるセッション確立情報を形成、交換、および／またはネゴシエートしたかもしれない。セッション確立情報は、「コンテキスト」と称されることもある。例えば、無線通信システム１０５（１）が２Ｇまたは３Ｇ／ＵＭＴＳ規格および／またはプロトコルに従って動作する場合、そのセッション確立情報は、経路指定、サービスの品質、セキュリティ、課金など、セッションの態様を定義するために使用できるパケット・データ・プロトコル（ＰＤＰ）コンテキストを含む。ＰＤＰコンテキストは、移動体ユニット１２０と、無線通信システム１０５（１）など、ＧＰＲＳネットワーク全体で稼働している公衆データ網との間の論理的な関連付けである。各ＰＤＰコンテキストは、関連付けられたＰＤＰアドレス、経路指定情報を含むアクセス・ポイント名（ＡＰＮ）、セッションに関するサービスの品質（ＱｏＳ）、他の層によって提供されるサービスを使用しているＰＤＰコンテキストを指す指標であるネットワーク・サービス・アクセス・ポイント識別子（ＮＳＡＰＩ）、所与の接続に関して複数の双方向メッセージ・フローを見分けるために使用されるトランザクション識別子（ＴＩ）などの情報を含む。ＰＤＰコンテキストは、移動体ユニット１０２と基地局１１０（２）との間に無線ベアラを確立するために使用できる。
【００２６】
移動体ユニット１２０は、１つまたは複数のトラッキング・エリア１１５にも関連付けられている。例えば、移動体ユニット１２０は、２Ｇ／３Ｇ規格および／またはプロトコルによって定義されたＵＴＲＡＮ登録エリア（ＵＲＡ）に関連付けられてもよい。したがって、無線通信システム１０５および移動体ユニット１２０は、移動体ユニット１２０を包含するトラッキング・エリア１１５を示す情報を保持することができる。例えば、無線通信システム１０５は、移動体ユニット１２０に関連付けられたトラッキング・エリア１１５を示す識別子を有することができる。無線通信システム１０５に関連付けられたトラッキング・エリア群１１５は、両方の無線通信システム１０５が、移動体ユニット１２０、および移動体ユニット１２０を包含するトラッキング・エリア群１１５の記録を保持するように、少なくとも部分的にオーバーラップしてよい。例示された実施形態において、無線通信システム１０５（１）に関連付けられたトラッキング・エリア群１１５（１〜２）は、無線通信システム１０５（２）に関連付けられたトラッキング・エリア群１１５（３〜４）とオーバーラップする。移動体ユニット１２０は、最初は、トラッキング・エリア群１１５（２〜３）に関連付けられており、したがって無線通信システム群１０５は、以下で詳しく説明されているように、移動体ユニット１２０を包含するトラッキング・エリア群１１５（２〜３）のうちの１つまたは複数を示す情報を有することができる。移動体ユニット１２０も、関連付けられたトラッキング・エリア群１１５（２〜３）を示す情報を有することができる。
【００２７】
無線通信システム１０５（１）とのセッションを確立した後、図１に示された移動体ユニット１２０はアイドル・モードになる。一実施形態では、基地局１１０（２）が、登録解除メッセージを移動体ユニット１２０に送信することによりアイドル・モードを起動することができる。次いで、サービス提供側基地局１１０（２）は、アイドル移動体ユニット１２０に関連付けられたトラフィック・チャネルを破棄し、そのアイドル移動体ユニットのネットワーク接続に関するすべての情報を公開する。アイドル移動体ユニット１２０は、アイドル・モードになっている間のみリスン（聞く）することができ、そのユニットに好ましい基地局からのメッセージのみを受信することができる。セッションに関する媒体アクセス制御（ＭＡＣ）状態情報も、移動体ユニット１２０がアイドル・モードになったとき、例えば、移動体ユニットが、アイドル状態の期間のＭＡＣ状態を明示的に登録解除した場合、破棄することができる。本開示の利益を得る当業者は、本明細書で説明されるアイドル・モードまたはアイドル状態は、パケット・モビリティ管理（ＰＭＭ）アイドル、Ｌｏｎｇ  Ｔｅｒｍ  Ｅｖｏｌｕｔｉｏｎ（ＬＴＥ）アイドル、またはＵＴＲＡＮ登録エリア（ＵＲＡ）−ＰＣＨなどのページング状態を含んでよいことを理解されたい。
【００２８】
無線通信システム群１０５は、ページング・メッセージ、例えば、対象の移動体ユニット１２０について使用できる情報があることを示し、その移動体ユニット１２０がアクティブ・モードに移行するように要求するメッセージを提供することにより、アイドル移動体ユニット１２０に到達できる。例えば、ＵＲＡ内に存在し、ＵＲＡ−ＰＣＨページング状態にあるアイドル移動体ユニット１２０は、ページング・チャネル（ＰＣＨ）を介してページングを行うことにより到達できる。
【００２９】
アイドル移動体ユニット１２０は、異なる無線通信システム群１０５に関連付けられた基地局群１１０および／またはトラッキング・エリア群１１５との間で、矢印１２５で示されているように、移動または移行することがある。例示された実施形態では、移動体ユニット１２０は、無線通信システム１０５（１）内の基地局１１０（２）に関連付けられたトラッキング・エリア１１５（２）から無線通信システム１０５（２）内の基地局１１０（３）に関連付けられたトラッキング・エリア１１５（３）に移動する。例えば、移動体ユニット１２０は、レガシ（２Ｇ／３Ｇ）無線通信システム１０５（１）から新規（ＬＴＥ／ＳＡＥ）無線通信システム１０５（２）に移行することがある。当業者は、「移動」は、移動体ユニット１２０の実際の移動の結果、および／または環境条件または送信条件の変更の結果で起こり得ることを理解されたい。一実施形態では、移行した結果、移動体ユニット１２０は新しく好ましい基地局１１０を選択、またはキャンプオン（仮停泊）することがある。例えば、移動体ユニット１２０は、基地局群１１０（２〜３）のパイロット信号の強度の比較に基づいて基地局１１０（３）にキャンプオンすることを決める。あるいは、移動体ユニット１２０は、矢印１２５で示された移行の結果、移動体ユニット１２０が無線通信システム１０５（１）に関連付けられたトラッキング・エリア群１１５（１〜２）の間のトラッキング・エリア境界を越えても、基地局１１０（３）にキャンプオンし続けることもできる。
【００３０】
アイドル移動体ユニット１２０は、無線通信システム群１０５のうちの１つまたは複数に１つまたは複数のロケーション更新メッセージを提供して、無線通信システム群１０５に、その移動体ユニット１２０は１つまたは複数の新しいトラッキング・エリア１１５内に入ったことを通知することができる。一実施形態では、移動体ユニット１２０は、ある１つの無線通信システム１０５に関連付けられたトラッキング・エリア１１５から、同じ無線通信システム１０５に関連付けられた別のトラッキング・エリアに移行したときにロケーション更新メッセージを提供する。しかし、両方の無線通信システム１０５がアイドル移動体ユニットをページングできることを望む場合があり、そのため、両方の無線通信システム１０５が、対応するシステム１０５に関する現行トラッキング・エリア群１１５を認識し続けることができるような方法でロケーション更新情報が提供される。したがって、ロケーション更新メッセージの後、両方の無線通信システム１０５がそのアイドル移動体ユニット１２０のページングを行える状態のままになる。例えば、最初はトラッキング・エリア１１５（２）内およびトラッキング・エリア１１５（３）内にもあって、２Ｇ／３Ｇ  ＵＲＡ−ＰＣＨ状態であったアイドル移動体ユニット１２０が、引き続いて、無線通信システム１０５（２）に関連付けられたトラッキング・エリア１１５（４）内の基地局１１０（４）にキャンプオンすると、そのアイドル移動体ユニット１２０は、無線通信システム１０５（２）を介してロケーション更新メッセージを提供し、無線通信システム１０５（１）内で２Ｇ／３Ｇ  ＵＲＡ−ＰＣＨ状態のままで存在できる。もう１つの例として、アイドル移動体ユニット１２０がトラッキング・エリア１１５（３）内でキャンプオンしたまま、トラッキング・エリア群１１５（１〜２）の間で移行した場合、そのアイドル移動体ユニット１２０は、トラッキング・エリア群１１５（２〜３）に関する識別子を有する無線通信システム１０５（２）を介してロケーション更新メッセージを提供することができる。
【００３１】
図２Ａは、ロケーション更新メッセージを提供する方法２００の第１の例示的実施形態を概念的に示している。例示された実施形態では、図１に示された移動体ユニット１２０のようなアイドル移動体ユニットが、異なる無線インターフェース技術を用いて動作する２つの無線通信システムに登録されている。例えば、その移動体ユニットは、２Ｇ／３Ｇ規格および／またはプロトコルに従って動作する第１の無線通信システムおよびＬＴＥ／ＳＡＥ規格および／またはプロトコルに従って動作する第２の無線通信システムに登録されていてよい。一実施形態では、それらの無線通信システムの一方は、ホーム・ロケーション・レジスタ（ＨＬＲ）とのインターフェースのプロキシとして動作する。すると、ＨＬＲからの情報は、両方の無線通信システム内で最新に維持することができる。例示された実施形態では、アイドル移動体ユニットは、最初は、それらの無線通信システムの一方に関連付けられたトラッキング・エリアにキャンプオンしている。例えば、そのアイドル移動体ユニットは、最初は、２Ｇ／３Ｇ無線通信システムに関連付けられたトラッキング・エリアにキャンプオンしていることがあり、したがってＵＲＡ−ＰＣＨ状態になっていることがある。上述のように、このアイドル移動体ユニットは、ＬＴＥ／ＳＡＥ無線通信システムなど、他の無線通信システムのトラッキング・エリアに関連付けられていてもよい。例示された実施形態では、両方の無線通信システムがこのアイドル移動体ユニットに関するコンテキストを保持している。これらの無線通信システムは、この移動体ユニットによって、対応する無線通信システムに最も新しく報告されたトラッキング・エリアを示す情報も有する。
【００３２】
このアイドル移動体ユニットは、次いで、（２０５で）新しいトラッキング・エリアにキャンプオンして、（２１０で）そのトラッキング・エリアは元の無線通信システムに関連付けられているか、別の無線通信システムに関連付けられているかを判定することができる。新しいトラッキング・エリアが元のトラッキング・エリアと同じ無線通信システムに関連付けられている場合、アイドル移動体ユニットは、（２１５で）元の無線通信システムを介してロケーション更新メッセージを提供し、元の無線通信システムはそのロケーション更新メッセージを用いて、その移動体ユニットに関連付けられた現行トラッキング・エリアを示す情報を更新することができる。アイドル移動体ユニットが、（２１０で）そのアイドル移動体ユニットは別の無線通信システムに関連付けられたトラッキング・エリアにキャンプオンしていると判定すると、そのアイドル移動体ユニットは、（２２０で）新しい無線通信システムを介してロケーション更新メッセージを提供できる。例えば、最初は２Ｇ／３Ｇ無線通信システム内でキャンプオンしていたアイドル移動体ユニットが、（２０５）でＬＴＥ／ＳＡＥ無線通信システムに関連付けられたトラッキング・エリアにキャンプオンすると、そのアイドル移動体ユニットは、（２２０で）そのＬＴＥ／ＳＡＥ無線通信システムを介してロケーション更新メッセージを提供することができる。
【００３３】
例示された実施形態では、両方の無線通信システムが（２２５）でアイドル移動体ユニットのそれぞれのコンテキストを保持している。したがって、新しい無線通信システムを介して（２２０で）提供されたトラッキング・エリア更新は、結果として、他方のシステムのコンテキストを公開することはない。移動体ユニットおよびネットワークの両方が（２２５で）両方の無線通信システムに必要な完全な情報を保持している。新しい無線通信システムを介して（２２０で）提供されたロケーション更新メッセージは、他方の無線通信システム内の、そのアイドル移動体ユニットのページング状態を変更することもない。例えば、ロケーション更新メッセージがオーバーレイされたＬＴＥ／ＳＡＥ無線通信システムを介して提供された場合、ＵＭＴＳ内で移動体ユニットのＵＲＡ−ＰＣＨ状態が終了することはない。その場合、（２２５で）両方の無線通信システムが移動体ユニットのページングを行うために使用できるコンテキストおよびトラッキング・エリア識別子を保持しているので、アイドル移動体ユニットは両方のシステムを使用してページングされることが可能である。
【００３４】
図２Ｂは、アイドル移動体ユニットをページングする方法２５０の第１の例示的実施形態を概念的に示している。例示された実施形態では、異なる無線インターフェース技術に従って動作する２つの無線通信システムによって（２５５で）ページング・メッセージが提供される。それぞれの無線通信システムに関連付けられたアイドル移動体ユニットのコンテキストおよび／またはトラッキング・エリア識別子を用いて、（２５５で）アイドル移動体ユニットのページのためのトラッキング・エリアが判定される。次いで、無線通信システムは、アイドル移動体ユニットから応答が受信されたかを、例えば、１つまたは複数のタイマを使用して（２６０で）判定する。（２６０で）応答が受信されない場合、無線通信システムは、最後に報告されたトラッキング・エリアに基づいて判定された他のトラッキング・エリアを介して（２５５で）追加ページング・メッセージを提供する。
【００３５】
ページング・メッセージへの応答が（２６０で）受信されて、アイドル移動体ユニットが無線通信システムの１つとのアクティブ・セッション用にリソースの確立を要求する場合、リソースの確立を要求するために使用される無線通信システムが（２６５で）判定される。アクティブ・セッションは、応答を送信するために使用された無線通信システムを介して移動体ユニットとの間に（２７０で）確立される。例えば、移動体ユニットがＬＴＥ／ＳＡＥ無線通信システムを介してリソースの要求を送信すると、ＬＴＥ／ＳＡＥ無線通信システムとの間に（２７０で）アクティブ・セッションが確立できる。一実施形態では、応答無線通信システムへ他方のシステムから追加情報が転送できる。次いで、非応答無線通信システムから（２７５で）そのコンテキストが除去できる。コンテキストの（２７５での）除去には、非応答システム内のリソースの破棄が含まれることがあり、リソースが破棄された結果、アクティブな移動体ユニットのコンテキストは無線通信システムの１つに保持されるだけなので、より単純な状態になることができる。このことは、後続のハンドオーバへの依存性も除去することがある。例えば、移動体ユニットがＬＴＥ／ＳＡＥ内でベアラを確立した場合、ＵＭＴＳ内のＵＲＡ−ＰＣＨ状態は除去される。本開示の利益を得る当業者は、移動体ユニットによって起動されたアイドル移動体ユニットからの要求に応じて、アクティブ・セッションが形成されるとき、類似の方法が使用できることを理解されたい。
【００３６】
一実施形態では、両方の無線通信システムが、移動体ユニットがアクティブ状態にあるときも移動体ユニットのコンテキストを保持することができる。したがって、一方のシステム内でアクティブに変更されても、結果として、他方のシステム内でリソースの破棄は行われない。この実施形態では、各システムでの前の状態によっては複数のハンドオーバ手順が定義できる。例えば、ＬＴＥアクティブ・モードにあるときに、移動体ユニットが１つの無線ネットワーク・コントローラ（ＲＮＣ）内でＵＲＡ−ＰＣＨであった場合、その移動体ユニットは、別のＲＮＣ内のセルに移動する。そのようなハンドオーバは、ＵＭＴＳ内で、ある１つのＲＮＣ内のＵＲＡ−ＰＣＨから別のＲＮＣ内のアクティブへの変更としてモデル化することができ、ＬＴＥコンテキストは「休止」状態で保持できる。
【００３７】
図３Ａは、ロケーション更新メッセージを提供する方法３００の第１の例示的な実施形態を概念的に示している。例示された実施形態では、図１に示された移動体ユニット１２０のようなアイドル移動体ユニットは、異なる無線インターフェース技術を用いて動作する２つの無線通信システムに登録されている。第２の例示的な実施形態では、ただ１つのシステムが無線通信システムに対するトラッキング・エリアだけでなく、移動体ユニット・コンテキストも保持している。例えば、移動体ユニット・コンテキストは、その移動体ユニットに関連付けられた最後のアクティブ・セッションをサポートした無線通信システムに保管できる。他方の無線通信システムは、移動体ユニット識別子、および無線通信システムに対するトラッキング・エリアを保管する。アイドル移動体ユニットがある１つの無線通信システム内でキャンプオンしている場合、他方のシステム内で移動体ユニットが活動すると、移動体ユニットのコンテキストがただ１つのシステムで保持されるように、元の無線通信システム内のコンテキストは除去される。
【００３８】
上述のように、移動体ユニットは、異なる無線通信システムに関連付けられているかどうかが不明な異なるトラッキング・エリア間で移動または移行することがある。移動体ユニットが、それが一方の無線通信システムの新しいトラッキング・エリア内にあることを（３０５で）検出すると、移動体ユニットは、（３１０で）その新しいトラッキング・エリアは、その無線通信システムに関連付けられた、前に報告されたトラッキング・エリアの１つであるかを判定する。新しいトラッキング・エリアが、前に報告されたトラッキング・エリアの１つであって、その移動体ユニットは、一方のシステムの、前に報告された同トラッキング・エリアから他方のシステムの、前に報告された同トラッキング・エリアに移動したことを示していると、ロケーション更新メッセージは送信されず、その移動体ユニットは、（３０５で）別の新しいトラッキング・エリアを検出するのを待つ。したがって、移動体ユニットは、移動体ユニットが前に報告されたトラッキング・エリアの１つの中にとどまっている限り、２つの無線通信システム間を自由に移動できる。
【００３９】
移動体ユニットが、おそらく両方の技術を継続的にスキャンすることにより、（３１０で）その新しいトラッキング・エリアが、これらの無線通信システムに関連付けられた、前に報告されたトラッキング・エリアの１つでないと判定すると、その移動体ユニットは、（３１５で）現行システムを介してロケーション更新メッセージを提供する。例えば、移動体ユニットがＵＲＡ−ＰＣＨまたはアイドル状態になったときに、その移動体ユニットが２Ｇ／３Ｇ無線通信システム内でキャンプオンしていた場合、その移動体ユニットは、２Ｇ／３Ｇ無線通信システムおよびＬＴＥ／ＳＡＥ無線通信システムの両方に関連付けられたトラッキング・エリアをモニタする。移動体ユニットが（３１０で）ＬＴＥ／ＳＡＥ無線通信システムの、前に報告されたトラッキング・エリアとは異なる、ＬＴＥ／ＳＡＥ無線通信システムの新しいトラッキング・エリアに入ったと判定した場合、その移動体ユニットは、（３１５で）その新しいトラッキング・エリアを示す情報を含んだロケーション更新メッセージを提供することができる。そのロケーション更新メッセージは、上記の例では、２Ｇ／３Ｇ無線通信システムである元のシステムを使用して（３１５で）提供されてよい。一実施形態では、ＬＴＥ／ＳＡＥトラッキング・エリア情報が、ユーザ・コンテキストが保管されているユーザ・プレーン機器（ＵＰＥ）またはノードに渡される。これは、必ずしも、その移動体ユニットがＬＴＥ／ＳＡＥシステムに登録されていることを意味するわけではない。
【００４０】
同様に、移動体ユニットが元々はＬＴＥ／ＳＡＥ無線通信システムに関連付けられたトラッキング・エリア内でキャンプオンしていた場合、１つのシステムのみが移動体ユニット・コンテキストを保管し、この例では、移動体ユニット・コンテキストはＬＴＥ／ＳＡＥ無線通信システム内に保管されているので、その移動体ユニットは、ＵＭＴＳ内でＵＲＡ−ＰＣＨになることはできない。この場合は、移動体ユニットは、ＬＴＥ／ＳＡＥシステムを介してＵＭＴＳルーティング・エリアを提供する。このように、移動体ユニットが、それが２Ｇ／３Ｇ無線通信システムの、前に報告されたトラッキング・エリアとは異なる、同じ２Ｇ／３Ｇ無線通信システムの新しいトラッキング・エリアに入ったと（３１０で）判定すると、その移動体ユニットは、新しいトラッキング・エリアを示す情報を含むロケーション更新メッセージを（３１５で）提供することができる。ロケーション更新メッセージは、この例では、ＬＴＥ／ＳＡＥ無線通信システムである元のシステムを使用して（３１５で）提供されてよい。
【００４１】
第２の例示的実施形態の１つの変形において、移動体ユニットがＬＴＥ／ＳＡＥにキャンプオンしている場合には、移動体ユニットは後続のＬＴＥ／ＳＡＥトラッキング・エリアのみをチェックするのであれば、他方の技術での継続的なバックグラウンド・スキャンは回避してよい。したがって、例えば、移動体ユニットがＵＭＴＳ無線通信システムを介してＵＲＡ  ＩＤを更新したとき、移動体ユニットはＬＴＥ／ＳＡＥトラッキング・エリアを報告する可能性がある。すると、その移動体ユニットは、上述のように、ＵＭＴＳおよびＬＴＥ／ＳＡＥ内のトラッキング・エリア間で移動することが許可されることがある。移動体ユニットが、報告されたトラッキング・エリアでないＬＴＥ／ＳＡＥセルにキャンプオンしている場合、その移動体ユニットは、ＬＴＥ／ＳＡＥ無線通信システムを介してトラッキング・エリア更新を行い、それにより、移動体ユニット・コンテキストを２Ｇ／３Ｇ無線通信システムから除去することがある。
【００４２】
第２の例示的実施形態の１つの変形において、両方の無線通信システム内で一時識別子が割り振られてよいが、移動体ユニットへは、一方のシステムのみを介して送ることができる。例えば、一時識別子は、移動体ユニットがトラッキング更新信号処理を行ったのと同じ技術を介して移動体ユニットに送ることができる。したがって、移動体ユニットがＵＭＴＳ  ＵＲＡ−ＰＣＨ状態にあって、ＬＴＥ／ＳＡＥトラッキング・エリアを含んでいる場合、ＬＴＥ／ＳＡＥ移動体ユニット識別子が移動体ユニットに割り振られて、ＵＭＴＳシステム自体を介して送られる。移動体ユニットをページングする必要がある場合、それぞれのシステムのトラッキング・エリア識別子が使用できる。移動体ユニットを常時ＵＲＡ−ＰＣＨにしておくことがそれだけ重要と考えられておらず、移動体ユニットがＰＭＭ  アイドルになってもよい場合、ＵＭＴＳに保持されるべきＵＥコンテキストはＳＧＳＮコンテキストのみである。
【００４３】
図３Ｂは、アイドル移動体ユニットをページングする方法３５０の第２の例示的な実施形態を概念的に示している。例示された実施形態では、異なる無線インターフェース技術に従って動作する２つの無線通信システムによって（３５５で）ページング・メッセージが提供される。それぞれの無線通信システムに関連付けられたアイドル移動体ユニットのコンテキストおよび／またはトラッキング・エリア識別子を用いて、（３５５で）アイドル移動体ユニットのページのためのトラッキング・エリアが判定される。次いで、無線通信システムは、アイドル移動体ユニットから応答が受信されたかを、例えば、１つまたは複数のタイマを使用して（３６０で）判定する。（３６０で）応答が受信されない場合、無線通信システムは、最後に報告されたトラッキング・エリアに基づいて判定された他のトラッキング・エリアを介して（３５５で）追加ページング・メッセージを提供する。ページング・メッセージへの応答が（３６０で）受信されて、アイドル移動体ユニットが無線通信システムの１つとのアクティブ・セッション用にリソースの確立を要求する場合、リソースの確立を要求するために使用された無線通信システムが（３６５で）判定される。
【００４４】
応答無線通信システムが、移動体ユニットのコンテキストを現在保管している無線通信システムと同じであると（３７０で）判定されると、要求されたアクティブ・セッションが（３７５で）応答無線通信システムを介して確立できる。例えば、要求されたアクティブ・セッションは、（３７５で）応答無線通信システムに関連付けられたシステム固有のプロシージャを用いて確立できる。応答無線通信システムが、移動体ユニットのコンテキストを現在保管している無線通信システムと異なると（３７０で）判定されると、セッションは（３８０で）新しい無線通信システムにハンドオフされることがある。例えば、順方向ハンドオフが、（３８０で）例えば、他方のシステムでの移動体ユニット要求またはページング応答によってトリガされることがある。
【００４５】
本発明は、本明細書の教示の受益者である当業者には明らかな、異なるが均等の方法で修正および実施できるので、上記で開示された特定の実施形態は例示のためだけである。さらに、添付の特許請求の範囲に記載されたことを除いて、本明細書に示された構成または設計の詳細に限定されることは意図されていない。したがって、上記で開示された特定の実施形態は変更または修正することが可能であることは明らかであり、そのような変形は、本発明の範囲から逸脱しないと考えられる。したがって、本明細書で求める保護は、添付の特許請求の範囲の記載のとおりである。
【図１】
2014096846.tif 000003
【図２Ａ】
2014096846.tif 000004
【図２Ｂ】
2014096846.tif 000005
【図３Ａ】
2014096846.tif 000006
【図３Ｂ】
2014096846.tif 000007